(57)【特許請求の範囲】
【請求項１】
障害発生の有無を監視し、監視部に障害の発生又は障害の解除を通知する障害監視システムに於いて、
前記障害の発生及び障害の解除を検出する障害検出部と、
該障害検出部からの障害発生情報又は障害解除情報と、読込みタイミング毎の前記障害発生情報又は前記障害解除情報の前回に対する変化の有無と、ソフトウェアカウンタ部に前回通知した出力情報とを基に、該出力情報の変化の有無を１ビット構成の障害履歴情報として前記ソフトウェアカウンタ部に通知してカウントさせる障害履歴情報生成ロジック部と
を備えたことを特徴とする障害監視システム。
【請求項２】
前記障害履歴情報生成ロジック部からの１ビット構成の同一内容を示す障害履歴情報の連続回数をカウントし、設定されたカウント値の時に前記監視部に障害発生又は障害解除を通知するソフトウェアカウンタ部を備えたことを特徴とする請求項１記載の障害監視システム。
【請求項３】
障害発生回線数等の状態情報の変化を検出する変化検出部と、該変化検出部による前記状態情報の変化を検出した時に、前記障害履歴情報生成ロジック部からの障害履歴情報を入力する前記ソフトウェアカウンタ部のカウント値を強制的にリセットする出力０固定制御部とを備えたことを特徴とする請求項２記載の障害監視システム。
【請求項４】
障害発生の有無を監視して監視部に障害の発生又は障害の解除を通知する障害通知方法に於いて、
障害の発生及び障害の解除を検出する障害検出部からの障害発生情報又は障害解除情報を読込みタイミング毎に障害履歴情報生成ロジック部により読込み、該障害履歴情報生成ロジック部により、前記読込みタイミング毎の前記障害発生情報又は障害解除情報の前回に対する変化の有無と、ソフトウェアカウンタ部に前回通知した出力情報とを基に、該出力情報の変化の有無を１ビット構成の障害履歴情報として前記ソフトウェアカウンタ部に通知し、該ソフトウェアカウンタ部により前記障害履歴情報の同一内容の連続回数をカウントし、該ソフトウェアカウンタ部のカウント値が設定した値を超えた時に、障害発生又は障害解除と判定して、前記監視部に通知する過程を含む
ことを特徴とする障害通知方法。
【請求項５】
障害発生回線数等の状態情報を抽出し、該状態情報の変化時に、前記ソフトウェアカウンタ部のカウント値を強制的にリセットした後、前記障害履歴情報生成ロジック部からの障害履歴情報に従ったカウント動作を行う過程を含むことを特徴とする請求項４記載の障害通知方法。
【発明の詳細な説明】
【０００１】
【発明の属する技術分野】
本発明は、各種の伝送システムに於ける障害発生又は障害解除の状態を検出して、保守者，監視装置等を含む監視部に通知する障害監視システム及び障害通知方法に関する。
【０００２】
【従来の技術】
複数の伝送装置を伝送路を介して接続した伝送システムに於いて、各伝送装置対応又はシステム全体として、障害発生情報及び障害解除情報を監視装置により収集して解析し、保守者に通知する構成が採用されている。又冗長構成の伝送システムに於いて、障害発生により、現用側（ワーク側）から予備側（プロテクション側）に切替えて、健全な伝送装置又は伝送路を用いて伝送を継続する構成も知られている。
【０００３】
伝送システムに於ける障害発生情報は、例えば、伝送装置に於ける受信信号断，クロック信号断，同期外れ，エラーレート増加，温度異常上昇等の各種の異常状態を検出した情報であり、又不安定動作状態の場合は、障害発生情報と障害解除情報とが交互に繰り返し発生することがある。このような状態に対応してアラーム送出を行うと、アラーム送出，停止が繰り返されることになる。そこで、障害発生が所定時間以上継続した場合にアラーム送出を行い、障害解除が所定時間以上継続した場合にアラーム停止を行う手段が適用されている。
【０００４】
図９は従来例の説明図であり、障害監視システムの概要を示し、５１は障害検出部、５２はアップダウンカウンタ、５３はソフトウェアを示す。障害検出部５１は、伝送装置又は伝送システムの各部の障害を検出する機能を有し、障害発生検出時に例えば“１”、障害解除検出時に“０”を出力し、アップダウンカウンタ５２は、障害検出部５１からの“１”の障害発生検出信号により所定数をアップカウントし、障害検出部５１からの“０”の障害解除検出信号により所定数をダウンカウントする。
【０００５】
このアップダウンカウンタ５２のカウント値がアップカウントにより、予め設定された値を超えると、障害発生検出が所定時間継続したことを示すので、ソフトウェア５３に障害発生を通知する。それにより、ソフトウェア５３は、保守者や監視装置（図示を省略）を含む監視部に直ちに障害発生を通知する。又アップダウンカウンタ５２のカウント値がダウンカウントによって、予め設定された値以下となると、障害解除検出が所定時間継続したことを示すので、ソフトウェア５３に障害解除を通知する。それにより、ソフトウェア５３は保守者，監視装置等を含む監視部に障害解除を通知する。この場合、アップダウンカウンタ５２のカウンタ値と、障害発生判定の閾値と、障害解除判定の閾値とを独立的に設定することができる。
【０００６】
図１０は従来例の説明図であり、６１は障害検出部、６２はロジック部、６３はソフトカウンタ部である。前述の図９に示す従来例は、ハードウェアカウンタを用いる場合を示すが、図１０に示す従来例は、ソフトウェアカウンタを用いる場合を示す。障害検出部６１は、例えば、前述の障害検出部５１と同様に、障害発生検出時に“１”を出力し、障害解除検出時に“０”を出力する。
【０００７】
ロジック部６２は、ソフトウェアの読込みタイミング信号によって障害検出部６１からの検出信号を読込み、この検出信号が“１”の障害発生検出状態を示す場合は、障害検出情報を“１”、障害解除情報を“０”としてソフトウェアカウンタ部６３に入力し、又障害検出部６１からの検出信号が“０”で障害解除を示す場合は、障害検出情報を“０”、障害解除情報を“１”としてソフトウェアカウンタ部６３に入力する。
【０００８】
更に、ロジック部６２は、次の読込みタイミング信号により障害検出部６１からの検出信号を読込んだ時に、前回と異なる検出信号の場合、障害検出情報と障害解除情報とを共に“１”としてソフトウェアカウンタ部６３に入力する。このソフトウェアカウンタ部６３は、障害検出状態継続カウンタと、障害解除状態継続カウンタとの機能を有し、障害検出情報と障害解除情報とが共に“１”の場合は、総て０にリセットし、障害解除情報が“０”で、障害検出情報が“１”の場合は、障害検出状態継続カウンタをカウントアップし、カウント値が設定した値を超えると、保守者，監視装置等の監視部へ障害発生を通知する。
【０００９】
又障害解除情報が“１”で、障害検出情報が“０”の場合は、障害解除状態継続カウンタをカウントアップし、カウント値が設定した値を超えると、保守者，監視装置等の監視部へ障害解除を通知する。この場合も、ソフトウェアカウンタ部６３の障害検出状態継続カウンタのカウント値に対する閾値と、障害解除状態継続カウンタのカウント値に対する閾値とをそれぞれ独立的に設定することができる。
【００１０】
【発明が解決しようとする課題】
伝送システムに於ける障害発生をハードウェア構成の障害検出部５１，６１により検出し、ソフトウェアから保守者や監視装置等の監視部に障害発生又は障害解除を通知するものであり、又伝送装置の小型化並びに収容回線数の増加の傾向を有することから、多種類の障害をそれぞれ検出して処理するハードウェア及びソフトウェアの規模の縮小が要望されている。
【００１１】
このような要望に対して、図９に示す従来例は、障害の種別対応のアップダウンカウンタ５２を用意する必要があり、従って、ハードウェア構成が大きくなる問題がある。又図１０に示す従来例は、ハードウェアとソフトウェアとの間で、障害検出情報と、障害解除情報との伝達が必要であり、この場合も、障害種別対応に障害検出情報と障害解除情報との伝達が必要となるから、規模の縮小を図ることが困難である問題がある。
本発明は、規模の縮小を図り、且つ多重伝送に於ける場合の障害検出も容易に可能とすることを目的とする。
【００１２】
【課題を解決するための手段】
本発明の障害監視システムは、（１）障害発生の有無を監視し、監視部に障害の発生又は障害の解除を通知する障害監視システムであって、障害の発生及び障害の解除を検出する障害検出部１と、この障害検出部１からの障害発生情報又は障害解除情報と、読込みタイミング毎の障害発生情報又は障害解除情報の前回に対する変化の有無と、ソフトウェアカウンタ部に前回通知した出力情報とを基に、出力情報の変化の有無を１ビット構成の障害履歴情報としてソフトウェアカウンタ部に通知してカウントさせる障害履歴情報生成ロジック部とを備えている。
【００１３】
又（２）障害監視システムは、障害履歴情報生成ロジック部２からの同一障害履歴情報の連続回数をカウントし、設定されたカウント値の時に、監視部に障害発生又は障害解除を通知するソフトウェアカウンタ部を備えている。
【００１４】
又（３）障害監視システムは、障害発生回線数等の状態情報の変化を検出する変化検出部と、この変化検出部による状態情報の変化の検出時に、障害履歴情報生成ロジック部２からの障害履歴情報を入力するソフトウェアカウンタ部のカウント値を強制的にリセットする出力０固定制御部とを備えている。
【００１５】
又本発明の障害通知方法は、（４）障害発生の有無を監視して監視部に障害の発生又は障害の解除を通知する障害通知方法であって、障害の発生及び障害の解除を検出する障害検出部からの障害発生情報又は障害解除情報を読込みタイミング毎に障害履歴情報生成ロジック部により読込み、この障害履歴情報生成ロジック部により、前記読込みタイミング毎の前記障害発生情報又は障害解除情報の前回に対する変化の有無と、ソフトウェアカウンタ部に前回通知した出力情報とを基に、この出力情報の変化の有無を１ビット構成の障害履歴情報として前記ソフトウェアカウンタ部に通知し、このソフトウェアカウンタ部により前記障害履歴情報の同一内容の連続回数をカウントし、このソフトウェアカウンタ部のカウント値が設定した値を超えた時に、障害発生又は障害解除と判定して、前記監視部に通知する過程を含むものである。
【００１６】
又（５）ＰＤＩ−Ｐコード等の障害状態や他の状態を通知する状態情報を抽出し、この抽出した状態情報の変化の有無を検出し、変化有りの時に、障害履歴情報をカウントするソフトウェアカウンタ部のカウント値を強制的にリセットした後、障害履歴情報生成ロジック部からの障害履歴情報に従ったカウント動作を行う過程を含むものである。
【００１７】
【発明の実施の形態】
図１は本発明の原理説明図であり、１は障害検出部、２は障害履歴情報生成ロジック部を示す。障害検出部１は、伝送装置又は伝送システムの各部の障害発生及び障害解除を検出するものであり、既に知られている各種の手段を適用することができる。又障害履歴情報生成ロジック部２は、ソフトウェアの読込みタイミング信号に従って障害検出部１の検出信号を読込んで、障害履歴情報を生成し、図示を省略したソフトウェアに送出する。
【００１８】
図２は本発明の実施の形態の障害履歴情報生成ロジック部の説明図であり、図１に於ける障害履歴情報生成ロジック部２の構成の一例を示し、１１はフリップフロップ等による記憶部、１２は排他的論理和回路等による比較部、１３はラッチ回路、１４はフリップフロップ等による記憶部、１５はゲート回路の組合せ等によるロジック回路を示す。
【００１９】
図示を省略したソフトウェアの読込みタイミング信号が、記憶部１１，１４にはクロック信号ｃｌｋとして加えられ、又ラッチ回路１３にはリセット信号ｒｅｓｅｔとして加えられる。又障害検出部からの検出信号ＨＷｔは、記憶部１１と比較部１２とロジック回路１５とに加えられる。この検出信号ＨＷｔは、例えば、障害発生検出により“１”、障害解除検出により“０”とし、読込みタイミング信号毎に記憶部１１に記憶される。従って、比較部１２に於いては、前回の読込みタイミングに於ける検出信号ＨＷｔ-1と今回の検出信号ＨＷｔとを、比較部１２に於いて比較し、比較結果をラッチ回路１３にラッチし、次の読込みタイミング信号まで保持することになる。
【００２０】
比較部１２は、前回の検出信号ＨＷｔ-1と今回の検出信号ＨＷｔとが同一であれば、比較一致の“０”又は排他的論理和出力の“０”となり、相違する場合は、比較不一致の“１”又は排他的論理和出力の“１”となり、ラッチ回路１３にラッチされて、変化検出信号Δ（ｔ，ｔ-1）としてロジック回路１５に加えられる。このロジック回路１５は、今回の検出信号ＨＷｔと、変化検出信号Δ（ｔ，ｔ-1）と、記憶部１４に記憶された前回の出力信号ＳＷｔ-1とを基に、障害履歴情報ＳＷｔを出力する。
【００２１】
図３はロジック回路の論理説明図であり、図２のロジック回路１５に入力される前回の出力情報ＳＷｔ-1と、ラッチ回路１３にラッチされた変化検出信号Δ（ｔ，ｔ-1）と、今回の検出信号ＨＷｔとに対応した障害履歴情報ＳＷｔが出力される。即ち、障害履歴情報ＳＷｔが“１”となる条件は、ＳＷｔ-1＝“０”の時、Δ（ｔ，ｔ-1）＝“１”又はＨＷｔ＝“１”の何れか一方又は両方の場合であり、又ＳＷｔ-1＝“１”の時は、Δ（ｔ，ｔ-1）＝“０”で且つＨＷｔ＝“１”の場合である。
【００２２】
従って、このような論理出力が得られる簡単なゲート回路、或いは、前回の出力情報ＳＷｔ-1と、ラッチ回路１３のラッチされた変化検出信号Δ（ｔ，ｔ-1）と、今回の検出信号ＨＷｔとをアドレスとして、１ビット構成の障害履歴情報ＳＷｔを読出すメモリ（ＲＯＭ）により構成することもできる。従って、障害履歴情報生成ロジック部２は、図９に示す従来例のアップダウンカウンタ等に比較して回路規模を小さくできると共に、図１０に示す従来例のソフトウェアに通知する情報に比較して、障害履歴情報は１ビット構成で済む利点がある。
【００２３】
図４は本発明の実施の形態の説明図であり、図１と同一符号は同一部分を示し、３はソフトウェアカウンタ部である。障害履歴情報生成ロジック部２は、図２に示す構成を有し、障害検出部１からの検出信号を基に１ビット構成の障害履歴情報をソフトウェアカウンタ部３に入力する。
【００２４】
図５は本発明の実施の形態の動作説明図であり、（Ａ）は障害発生時について示し、（Ｂ）は障害解除時について示し、ｔ１，ｔ２，・・・，ｔ２１，ｔ２２，・・・はソフトウェア読込みタイミングを示し、周期は例えば５００ｍｓとすることができる。なお、この周期は、システム構成に対応して任意に設定することができる。図５の（Ａ），（Ｂ）に於いて、障害検出部１からの出力（検出信号ＨＷｔ）を、ソフトウェア読込みタイミングで、ロジック部（障害履歴情報生成ロジック部２）に取込み、その出力（障害履歴情報ＳＷｔ）をソフトウェアカウンタ部３に入力してカウント動作を行わせ、カウント内容が設定した値を超えると、保守者，監視装置を含む監視部に通知する。
【００２５】
例えば、（Ａ）の時刻ｔ２後の“１”の障害検出部１の出力により、ロジック部の出力も時刻ｔ３に於いて“１”となり、ソフトウェアカウンタ部３はカウントアップするが、その時に、障害検出部１の出力は“０”となるから、時刻ｔ４に於いてロジック部の出力は“０”となり、ソフトウェアカウンタ部３のカウント値は０となる。
【００２６】
又時刻ｔ６以降に連続して障害検出部１の出力が“１”となり、ロジック部の出力も“１”となって、ソフトウェアカウンタ部３のカウント値が順次増加するが、時刻ｔ９の次に障害検出部１の出力が“０”となると、ロジック部の出力も“０”となり、ソフトウェアカウンタ部３のカウント値は０となる。又次の時刻ｔ１０以降、障害検出部１の出力が“１”となり、ソフトウェアカウンタ部３は、時刻ｔ１１，ｔ１２，ｔ１３，ｔ１４に於いてカウントアップし、カウント値が４となると、予め設定した値を超えたとして、保守者，監視装置等を含む監視部に対して、“１”の障害発生の通知出力とする。
【００２７】
又（Ｂ）に於いて、障害発生の通知出力後、障害検出部１の出力の“０”、即ち、障害解除検出時にソフトウェアカウンタ部３のカウントアップを行うものであり、時刻ｔ２２，ｔ２３，ｔ２６後の障害検出部１の出力が“０”となっても、ソフトウェアカウンタ部３のカウント値は１となった後、次のタイミングで０となる。又時刻ｔ２７後は、ソフトウェアカウンタ部３のカウント値が２となるが、時刻ｔ３０の次に０となる。
【００２８】
しかし、時刻ｔ３２以降は、障害検出部１の出力の“０”が連続し、それに対応してロジック部の出力も“０”が連続するから、ソフトウェアカウンタ部３のカウント値は時刻ｔ３７に於いて６となり、予め設定した値を超えたとして、保守者，監視装置を含む監視部に“０”の障害解除の通知を行うことになる。
【００２９】
この場合、障害発生の通知を行うカウント値を４とし、障害解除の通知を行うカウント値を６とした場合を示すが、これらの設定した値は、伝送システム対応に任意に選定することができる。
【００３０】
図６はソフトウェアカウンタ部の説明図であり、検出状態継続カウンタ２１と解除状態継続カウンタ２２とを含む構成の場合を示し、障害履歴情報生成ロジック部２からの１ビット構成の障害履歴情報が“１”であると、解除状態継続カウンタ２２のカウント値を０、検出状態継続カウンタ２１のカウント値をカウントアップし、反対に、障害履歴情報が“０”であると、検出状態継続カウンタ２１のカウント値を０、解除状態継続カウンタ２２のカウント値をカウントアップする。
【００３１】
これらのカウンタ２１，２２はソフトウェア処理によってその機能を実現するものであり、且つカウント値と予め設定した値とを比較し、カウンタ２１のカウント値が設定値を超えたと判定した時に、保守者及び監視装置に障害発生を通知し、カウンタ２２のカウント値が設定値を超えたと判定した時に、保守者及び監視装置に障害解除を通知する。即ち、障害発生通知の設定値と、障害解除通知の設定値とを独立的に設定することができる。
【００３２】
図７は本発明の他の実施の形態の説明図であり、１は障害検出部、２は障害履歴情報生成ロジック部、３はソフトウェアカウンタ部、３１は出力０固定制御部、３２はＰＤＩ−Ｐコード変化検出部を示す。この実施の形態は、光伝送路等を用いた伝送システムに於いて、多重化された回線の中の障害回線数等をＰＤＩ−Ｐコードによって通知するものであり、例えば、ＳＯＮＥＴ（Ｓynchronous  Ｏptical  Ｎetwork）やＳＤＨ（Ｓynchronous  Ｄigital  Ｈierarchy）に於ける多重化伝送フレームのパスオーバーヘッドにＣ２バイトがあり、このＣ２バイトを用いて、ＰＤＩ−Ｐ（ペイロード・ディファクト・インディケーション−Ｐ）コードにより、障害回線数を伝送することができる。
【００３３】
伝送装置に接続された伝送路が断線しなくても、多重化された回線の中に送受信部の障害等による障害発生回線が含まれている場合がある。そこで、冗長構成の伝送システムに於けるワーク側とプロテクション側との伝送路を介して受信したＰＤＩ−Ｐコードを基に、障害回線数の少ない方の伝送路を選択して、伝送品質の向上を図ることができる。このＰＤＩ−Ｐコードも障害回線数の増減に対応して変更されるものである。
【００３４】
そこで、図４に示す構成に、出力０固定制御部３１とＰＤＩ−Ｐコード変化検出部３２とを設け、ＰＤＩ−Ｐコード変化検出部３２によりＰＤＩ−Ｐコードの変化を検出すると、出力０固定制御部３１により、ソフトウェアカウンタ部３のカウント値を強制的にリセットして０とするように制御する。その後は、障害履歴情報生成ロジック部２からの障害履歴情報に従ってソフトウェアカウンタ部３のカウント動作が行われ、予め設定した値を超えると、保守者，監視装置等の監視部に通知する。それによって、障害発生の通知と障害解除の通知と共に、ＰＤＩ−Ｐコードの変化があったことを、保守者，監視装置等を含む監視部に通知できる。
【００３５】
図８は本発明の他の実施の形態の詳細な説明図であり、図７と同一符号は同一部分を示し、３３はＰＤＩ−Ｐコード抽出部、３４は比較部、３５は記憶部を示す。ＰＤＩ−Ｐコード抽出部３３は、ＳＯＮＥＴ，ＳＤＨ等の伝送方式に於ける多重化伝送フレームのパスオーバーヘッドのＣ２バイトによるＰＤＩ−Ｐコードを抽出して、ＰＤＩ−Ｐコード変化検出部３２に入力する。このようなパスオーバーヘッドの各バイトの抽出手段は既に知られている構成を適用することができる。
【００３６】
抽出されたＰＤＩ−Ｐコードは、記憶部３５に読込みタイミング信号に従って記憶され、前回のＰＤＩ−Ｐコードと今回のＰＤＩ−Ｐコードとが比較部３４に於いて比較され、比較不一致の場合、即ち、障害回線数が変化した場合、出力０固定制御部３１により、ソフトウェアカウンタ部３のカウント値を強制的に０とするように制御する。例えば、障害履歴情報生成ロジック部２からの障害履歴情報が“０”連続中の場合、一時的に“１”として、解除状態継続カウンタと検出状態継続カウンタとをリセットし、又障害履歴情報が“１”連続中の場合は、一時的に“０”として、検出状態継続カウンタと解除状態継続カウンタとをリセットすることができる。
【００３７】
ソフトウェアカウンタ部３のリセット後、障害履歴情報生成ロジック部２からの障害履歴情報に対応したカウント動作が行われ、カウント値が設定した値を超えた時に、保守者，監視装置等の監視部に通知し、通知内容の確認等により、ＰＤＩ−Ｐコードの変化有りを認識し、例えば、ＰＤＩ−Ｐコード抽出部３３により抽出したＰＤＩ−Ｐコードの内容を、保守者の要求に従って、図示を省略した制御経路で読取ることができる。そして、ワーク側の伝送路の障害回線数がプロテクション側の伝送路の障害回線数より多いような場合に、ワーク側伝送路からプロテクション側伝送路に切替える制御を行うことができる。それにより、伝送システムの品質の低下を抑制して、信頼性を向上することができる。
【００３８】
前述の図７及び図８は、システムの状態情報として、障害回線数を示すＰＤＩ−Ｐコードを用いる場合を示すが、ＰＤＩ−Ｐコードと同様にオーバーヘッドの所定のバイトを利用して伝送する他の状態情報を利用し、その変化を検出することにより、監視部に通知することも可能である。その場合、ＰＤＩ−Ｐコード変化検出部３２を、状態情報の変化検出部とし、状態情報の変化を検出することにより、出力０固定制御部３１に通知し、ソフトウェアカウンタ部３を強制的にリセットし、カウント値を０とた後、障害履歴情報生成ロジック部２からの障害履歴情報をソフトウェアカウンタ部３でカウントし、そのカウント値が設定した値を超えた時に、監視部に通知し、監視部は状態情報の変化を認識して、ＰＤＩ−Ｐコードの場合と同様に、抽出した状態情報の内容を確認することができる。
【００３９】
【発明の効果】
以上説明したように、本発明は、障害検出部１により検出した障害発生情報又は障害解除情報を、ソフトウェアの読込みタイミング毎に変化の有無等を基に障害履歴情報生成ロジック部２により１ビット構成の障害履歴情報として、ソフトウェアカウンタ部３に入力し、障害発生が所定時間継続しているか、或いは障害解除が所定時間継続しているかをカウント値によって判定するものであり、ハードウェア側からソフトウェア側には、１ビット構成の障害履歴情報を伝達するだけで済むから、例えば、伝達ビット数が１６ビットの場合、図１０に示す従来例では、２ビット構成として伝達するから、８種類の障害について伝達できるのに対して、本発明によれば、１ビット構成として伝達できるから、１６種類の障害について伝達できることになる。又障害履歴情報生成ロジック部２は、図９に示すハードウェアカウンタに比較して簡単な構成であるから、回路規模の縮小が可能となる利点がある。
【００４０】
又障害履歴情報生成ロジック部２とソフトウェアカウンタ部３との間に、出力０固定制御部３１を設けて、多重化伝送システムに於けるＰＤＩ−Ｐコード等の状態情報の変化を検出して、ソフトウェアカウンタ部３をリセットし、再度のカウント動作によるカウント値が設定値に達した時に、保守者，監視装置を含む監視部に状態情報の変化有りを通知することができる利点がある。それにより、障害回線数の変化有り等の状態情報の変化を認識し、例えば、障害回線数の少ない伝送路を選択して、多重伝送システムの信頼性を向上することができる。
【図面の簡単な説明】
【図１】本発明の原理説明図である。
【図２】本発明の実施の形態の障害履歴情報生成ロジック部の説明図である。
【図３】ロジック回路の論理説明図である。
【図４】本発明の実施の形態の説明図である。
【図５】本発明の実施の形態の動作説明図である。
【図６】ソフトウェアカウンタ部の説明図である。
【図７】本発明の他の実施の形態の説明図である。
【図８】本発明の他の実施の形態の詳細な説明図である。
【図９】従来例の説明図である。
【図１０】従来例の説明図である。
【符号の説明】
１  障害検出部
２  障害履歴情報生成ロジック部
【図１】
0004413358.tif 000002
【図２】
0004413358.tif 000003
【図３】
0004413358.tif 000004
【図４】
0004413358.tif 000005
【図５】
0004413358.tif 000006
【図６】
0004413358.tif 000007
【図７】
0004413358.tif 000008
【図８】
0004413358.tif 000009
【図９】
0004413358.tif 000010
【図１０】
0004413358.tif 000011